(57)【要約】      （修正有）【課題】プリント基板と、振動に弱い電気部品とをシャーシに固定する構造において、全体を回転させたときであっても、シャーシの振動を抑止することが可能な振動吸収構造を提供する。【解決手段】プリント基板２と、振動に弱い電気部品６とをシャーシ１に固定し、該シャーシ１をフレーム４，５で覆い、シャーシ１とフレーム間に振動を吸収する部材を具備することによって、シャーシ１の振動を抑止するように構成する。トップフレーム４とボトムフレーム５間に、振動吸収部材３を狭持し、直接の接点が無いように構成することによって、著しく振動を抑止することができる。【選択図】図１
2007005338.tif 000002
【特許請求の範囲】
【請求項１】
プリント基板と、振動に弱い電気部品とをシャーシに固定し、該シャーシをフレームで覆い、該シャーシとフレーム間に振動を吸収する部材を具備することによって、
上記フレーム全体を所要角度回転させたときであっても、上記シャーシの振動を抑止するように構成したことを特徴とする振動吸収構造。
【請求項２】
請求項１記載の振動吸収構造において、
トップフレームとボトムフレーム間で上記振動吸収部材を狭持し、該トップフレームとボトムフレーム間に、接点が無いように構成したことを特徴とする振動吸収構造。
【請求項３】
請求項１記載の振動吸収構造において、
上記シャーシの材質を、アルミニウム、銅、鋼、ステンレスのうち、１の材質で形成し、上記プリント基板上に実装された電気部品の放熱を兼ねるようにしたことを特徴とする振動吸収構造。
【請求項４】
請求項１記載の振動吸収構造において、
上記フレームの材質を、アルミニウム、銅、鋼、ステンレスのうち、１の材質で形成し、上記プリント基板上に実装された電気部品の放熱を兼ねるようにしたことを特徴とする振動吸収構造。
【請求項５】
請求項１記載の振動吸収構造において、
上記振動を吸収する部材の材質を、ウレタン系ゴム、シリコーン系ゴム、エラストマー、ゲル状の部材のうち、１の材質としたことを特徴とする振動吸収構造。
【請求項６】
請求項１記載の振動吸収構造において、
上記振動に弱い電気部品は、電圧制御発信器（ＶＣＯ）であることを特徴とする振動吸収構造。
【発明の詳細な説明】
【技術分野】
【０００１】
本発明は、例えば、パラボナアンテナで電波を送受信する通信機器筐体における振動吸収構造に関するもので、特に、屋外に配置する通信機器筐体の振動吸収構造に関するものである。
【背景技術】
【０００２】
従来、この種の通信機器筺体内の振動吸収構造としては、例えば、図５に示すように、平ワッシャ10、金属カラー11、スポンジ大12、スポンジ小13、シャーシ１を順々に重ね合わせ、ネジ７で構造物に固定していた。このため、部品点数が極めて多くなり、高価で生産性が著しく悪かった。また、これらの部品を配置するためには、シャーシ自体の幅を大きくする必要があり、実装する筐体内に広い空間が必要であった。
【０００３】
なお、電子機器の筺体内に組み込まれた部品等の振動吸収構造技術としては、例示すると、以下の特許文献１が知られている。
【特許文献１】特開２０００−２１６６９１号公報
【発明の開示】
【発明が解決しようとする課題】
【０００４】
シャーシとフレームをネジ固定させると、筐体外部からの振動・衝撃が直接シャーシへ伝達され、電気部品への振動を押さえることができない。従来は、上述のとおり、振動を押さえるために、多数の部品が必要であって、且つ複雑な構造となっていた。
【０００５】
本発明は、このような問題を解決するために為されたもので、本発明の目的は、プリント基板と、振動に弱い電気部品とをシャーシに固定する構造において、全体を所要角度（例えば、360度）回転させたときであっても、上記シャーシの振動を抑止することが可能な振動吸収構造を提供することにある。
【課題を解決するための手段】
【０００６】
本発明は、上記の目的を達成するため、プリント基板と、振動に弱い電気部品とをシャーシに固定し、該シャーシをフレームで覆い、該シャーシとフレーム間に振動を吸収する部材を具備することによって、上記フレーム全体を所要角度回転させたときであっても、上記シャーシの振動を抑止するように構成したものである。また、当該フレームに、予め振動を吸収する部材を貼り付けるように構成したもので、シャーシとフレームに複雑なネジ止めを必要としないため、生産性、組立性に優れている。また、電気部品とプリント基板をシャーシ上に固定し、これをフレームで覆い、シャーシとフレーム間に振動を吸収する部材を配置した状態で、一つの集合体（振動吸収構造ASSY）となるように形成したため、組立、取り外しが極めて容易である。なお、トップフレームとボトムフレームとで、振動吸収部材を狭持し、トップフレームとボトムフレーム間において、直接の接点が無いように構成すれば、振動吸収部材を介しての接触となるため、著しく振動を抑止することができる。
【発明の効果】
【０００７】
本発明によれば、筺体の外部から、振動や衝撃を受けても、筺体内の電気部品に対しては、著しく振動を抑止する効果が得られる。また、安価に振動吸収構造を実現することができる。更に、機構的に簡単であるため、生産性を向上させることができる。
【発明を実施するための最良の形態】
【０００８】
以下、本発明に係る実施例を、図面を参照して説明する。図２は、本実施例の振動吸収構造ASSYの分解図である。シャーシ１に、プリント基板２と電気部品６（上下を金属ケースで覆われている）を配置し、ネジ７で各所を固定する。また、トップフレーム４とボトムフレーム５の各所に、振動を吸収する振動吸収部材３を貼り付ける。前記のシャーシ群をボトムフレーム５の上に配置する。このとき、ボトムフレーム５とシャーシ１間に、振動を吸収する振動吸収部材３が挟まれる構造となる。更に、トップフレーム４とボトムフレーム５をネジ７で締め付ける。組立て完成品を図１で示す。シャーシ１は、トップフレーム４とボトムフレーム５に直接の接点は無く、振動を吸収する部材３を介しての接触となるため、耐震性が著しく優れている。
【０００９】
以上の振動吸収構造ASSY１０６を、筐体に内蔵した一例を図４に示す。ボトムフレーム上の穴を用いて、ODU部本体９にネジ止めで固定する。ODU部カバー８を被し、ネジ７で結合する。シャーシは、トップフレームとボトムフレームに直接の接点は無く、振動を吸収する部材を介して接触するように形成しているため、ODU外部からの振動に対しても、耐震性が著しく優れている。
【００１０】
なお、本発明において、上記シャーシの材質は、限定されるものではないが、例えば、
アルミニウム、銅、鋼、ステンレスのうち、１の材質で形成し、上記プリント基板上に実装された電気部品の放熱を兼ねるようにすれば、放熱効果が向上する。同様に、上記フレームの材質も、限定されるものではないが、例えば、アルミニウム、銅、鋼、ステンレスのうち、１の材質で形成し、上記プリント基板上に実装された電気部品の放熱を兼ねるようにすれば、同様に放熱効果が向上する。また、上記振動を吸収する振動吸収部材の材質についても、特に限定されるものではないが、例示すると、ウレタン系ゴム、シリコーン系ゴム、エラストマー、ゲル状の部材のうち、１の材質とすれば、優れた耐震効果が得られる。また、上記振動に弱い電気部品も、特に限定されるものではないが、例示すると、電圧制御発信器（ＶＣＯ）は振動に弱いため、本発明を適用すれば、優れた防振効果が得ることは明らかである。
【図面の簡単な説明】
【００１１】
【図１】本発明の一実施例に係る装置の振動吸収構造を示す図である。
【図２】本発明の一実施例に係る装置の分解図である。
【図３】本発明の一実施例に係る装置を内蔵した通信機器を示す外観図である。
【図４】本発明の一実施例に係る装置と筺体を示す図である。
【図５】従来装置の構造を示す図である。
【符号の説明】
【００１２】
101…ODU部ASSY、    102…マウント金具、    103…ハ゜ラホ゛ナアンテナ、
104…マウント金具ASSY、  105…取付ホ゜ール、    106…振動吸収構造ASSY、
１…シャーシ、          ２…フ゜リント基板、     ３…振動吸収部材、
４…トッフ゜フレーム、      ５…ホ゛トムフレーム、      ６…電気部品、
７…ネシ゛、   ８…ODU部カハ゛ー、     ９…ODU部本体、
10…平ワッシャ、   11…金属カラー、       12…スホ゜ンシ゛大、
13…スホ゜ンシ゛小。
【図１】
2007005338.tif 000003
【図２】
2007005338.tif 000004
【図３】
2007005338.tif 000005
【図４】
2007005338.tif 000006
【図５】
2007005338.tif 000007